(57)【要約】      （修正有）【課題】簡単な構成で消費電流を著しく低減できるフルカラーおよび８カラーモード対応の液晶表示装置の駆動装置を提供する。【解決手段】ソースバスＳＢに供給される階調電圧の駆動装置であって、前記階調電圧のうちの粗い範囲を定める電圧値を発生する参照電圧発生器１１０と、第１のＤＡＣ（デジタルアナログ変換器）１２０と、第２のＤＡＣ１３０と、前記第２のＤＡＣの出力を前記ソースバスに供給するデマルチプレクサ１６０とを備えたフルカラーモード用の第１の駆動部と、キャパシタを電源あるいはグランドに接続するスイッチＳＷ１１を備えた８色カラーモード用の第２の駆動部２００と、前記８色カラーモードの時には前記参照電圧発生器、前記第１のＤＡＣ、第２のＤＡＣのそれぞれの電源供給を停止するように動作する第２、第３および第４のスイッチＳＷ１、ＳＷ２、ＳＷ３を備えた液晶表示装置の駆動装置が提供される。【選択図】図２
2009025656.tif 000002
【特許請求の範囲】
【請求項１】
ソースバスに供給される階調電圧により液晶表示素子を駆動する液晶表示装置の駆動装置であって、
前記階調電圧のうちの粗い範囲を定める電圧値を発生する参照電圧発生器と、前記参照電圧発生器から、表示対象液晶セルに対する階調電圧を指定するデータコードの上位ビットにより電圧範囲を表す値を取り出す第１のデジタルアナログ変換器と、前記第１のデジタルアナログ変換器により指定された電圧範囲内での詳細値を前記データコードの下位ビットにより選択するとともに、前記第１のデジタルアナログ変換器の前記詳細値を選択的に出力可能な第２のデジタルアナログ変換器と、前記第２のデジタルアナログ変換器の出力を前記ソースバスに供給するデマルチプレクサとを備えたフルカラーモード用の第１の駆動部と、
キャパシタおよび前記データコードの一部によりキャパシタを電源あるいはグランドに接続する第１のスイッチを備えた８色カラーモード用の第２の駆動部と、
前記フルカラーモードと前記８色カラーモードの切り換え信号により、前記８色カラーモードの時には前記参照電圧発生器、前記第１のデジタルアナログ変換器、第２のデジタルアナログ変換器のそれぞれの電源供給を停止するように動作する第２、第３および第４のスイッチと、前記第２の駆動部のキャパシタ出力を前記デマルチプレクサに切り換えて接続する第５のスイッチと、を備えた液晶表示装置の駆動装置。
【請求項２】
前記第２のデジタルアナログ変換器と前記デマルチプレクサとの間に前記フルカラーモード時にのみ動作するバッファがさらに設けられたことを特徴とする請求項１に記載の液晶表示装置の駆動装置。
【請求項３】
前記データコードの一部は最高位ビットであることを特徴とする請求項１に記載の液晶表示装置の駆動装置。
【請求項４】
前記キャパシタは前記電源に接続される第１のキャパシタと前記接地に接続される第２のキャパシタとからなり、前記第１のスイッチは第１のキャパシタを電源とソースバス間で切り換える第１のサブスイッチと、第２のキャパシタを接地とソースバス間で切り換える第２のサブスイッチとからなることを特徴とする請求項１に記載の液晶表示装置の駆動装置。
【請求項５】
ソースバスをプリチャージするためのプリチャージ回路をさらに備えた請求項１−３のいずれかに記載の液晶表示装置の駆動装置。
【請求項６】
ソースバスに供給される階調電圧により液晶表示素子を駆動する液晶表示装置の駆動装置であって、
前記階調電圧のうちの粗い範囲を定める電圧値を発生する参照電圧発生器と、前記参照電圧発生器から、表示対象液晶セルに対する階調電圧を指定するデータコードの上位ビットにより電圧範囲を表す値を取り出す第１のデジタルアナログ変換器と、前記第１のデジタルアナログ変換器により指定された電圧範囲内での詳細値を前記データコードの下位ビットにより選択するとともに、前記第１のデジタルアナログ変換器の前記詳細値を選択的に出力可能な第２のデジタルアナログ変換器と、前記第２のデジタルアナログ変換器の出力を前記ソースバスに供給するデマルチプレクサとを備えたフルカラーモード用の第１の駆動部と、
キャパシタおよび前記データコードの一部によりキャパシタを電源あるいはグランドに接続する第１のスイッチと、プリセット時に白表示に対しては前記ソースバスを電源に接続し、黒表示に対してはソースバスを接地する第２のスイッチを備えた８色カラーモード用の第２の駆動部と、
前記フルカラーモードと前記８色カラーモードの切り換え信号により、前記８色カラーモードの時には前記参照電圧発生器、前記第１のデジタルアナログ変換器、第２のデジタルアナログ変換器のそれぞれの電源供給を停止するように動作する第３、第４および第５のスイッチと、前記８色カラー駆動部のキャパシタ出力を前記デマルチプレクサに切り換えて接続する第６のスイッチと、を備えた液晶表示装置の駆動装置。
【請求項７】
前記キャパシタは前記電源に接続される第１のキャパシタと前記接地に接続される第２のキャパシタとからなり、前記第１のスイッチは第１のキャパシタを電源とソースバス間で切り換える第１のサブスイッチと、第２のキャパシタを接地とソースバス間で切り換える第２のサブスイッチとからなることを特徴とする請求項６に記載の液晶表示装置の駆動装置。
【発明の詳細な説明】
【技術分野】
【０００１】
本発明は液晶表示装置の駆動装置に関するもので、特にフルカラー表示および８色カラーモードで動作が可能なものに関する。
【背景技術】
【０００２】
液晶表示装置においては、高画質化のためにフルカラー表示が要求されることが多くなっているが、一方では、待機状態等ではフルカラーは必要なく、むしろ少ない数の色、例えば８色で表示を行い、消費電力を抑えることも行われている。代表的なものとしては８色カラーモードがある。８色カラーモードは３原色に対して階調を与えず、オンかオフかを切り換え、８つの状態を得るものである。
【０００３】
フルカラー表示には各色に対して必要十分な階調制御を行う必要がある。
【０００４】
図１はこのようなフルカラーのための階調を行うための典型的な構成の例を示す。
【０００５】
ある画素について表示を行う場合、階調に対応するデータコードが駆動装置に与えられ、駆動装置側ではこのデータコードに対応する電圧信号に変換し、当該画素の液晶セルにドレインが接続された薄膜トランジスタのソース線に与え、その薄膜トランジスタのゲートか接続されたゲート線に必要な期間ゲートを開くための高電圧を与えることにより、該電圧信号を液晶セルに与えて透過率を変化させ、所望の画像を得る。
【０００６】
この場合、データコードと駆動電圧との関係はリニアではなく、ガンマ曲線と言われる特性を有している。このガンマ曲線に応じた電圧を得るための従来の模式的構成を図１に示す。
【０００７】
ここではデータ対電圧が図示された曲線の関係にあり、これから２５６階調の電圧を得るものとし、データコードは０から２５５まで、すなわち８ビットのデータが与えられ、このデータから所望の電圧を得ている。
【０００８】
まず、電圧範囲を得るために、電源とアース間に直列接続された１８個の抵抗分割器を有する参照電圧発生器１０より抵抗分割により取り出されたV0からV16までの１７種類の電圧を得るようにし、１６の電圧範囲をデータの上位４ビットを用いて４ビットスイッチマトリクスで選択し、電圧範囲を示すVnとVn+1を出力する。この選択された電圧範囲における１６種類の電圧のうちのいずれかをデータの下位４ビットを用いて４ビットリニアデジタルアナログ変換器（DAC）３０により得るようにしている。図１の例では電圧範囲V14-V15内の電圧をデータコード２２３から２３９に割り当てられた電圧のいずれかを出力することになる。
【０００９】
図２はカラー液晶表示装置のソースバスにソース電圧を印加する駆動装置の概略構成を示すブロック図であり、図１と同じ部分には同じ参照番号を付与している。また、図２は３色の２列分の液晶セルへ電圧を供給する部分を代表して示している。
【００１０】
今、第ｎ番目の列のある画素の赤の液晶セルに印加される電圧データが与えられたとすると、図１で説明したのと同様に、参照電圧発生器１０から１７種類の電圧値が取り出され、これらの間の１６種類の電圧範囲が、４ビットDA変換器である電圧セレクタ２０により、電圧データの上位４ビットにより表示すべき画素列のソースバスに印加される電圧範囲に対応する２つの電圧値VnとVn+1が出力されて４ビット下位ビットDA変換器３１に与えられ、この電圧範囲内でのデータ値に対応する電圧が得られる。この電圧はバッファ４１で安定化され、１：３のデマルチプレクサ５１により赤の画素ラインのソースバスSB1Rに印加される。なお、各ソースバスには大きな電圧変動により表示動作が遅れることを防止するため、プリチャージ回路６０が設けられている。
【００１１】
このような構成により、ある列のソースバスに電圧を印加する場合、最初にプリチャージを行い、第１列の赤列の準備とドライブを行い、次に第１列の緑列の準備とドライブを行い、続いて第１列の青列の準備とドライブを行う。
【特許文献１】米国特許公開２００２−０６３６７４号
【発明の開示】
【発明が解決しようとする課題】
【００１２】
このようなフルカラー表示のための駆動装置は回路規模が大きく、消費電力も大きい。
【００１３】
前述したように、フルカラーモードと８色カラーモードを切り換えて表示を行わせる液晶表示装置の駆動装置においては、従来、ソースドライバをフルカラーモード用と８色カラーモードード用に準備して切り換えを行うようにしているため、フルカラー用の構成については完全に動作が停止されるわけではなく、消費電流の削減効果は期待されたほど得られない。
【００１４】
本発明は、簡単な構成で消費電流を著しく低減できるフルカラーおよび８カラーモード対応の液晶表示装置の駆動装置を提供することを目的とする。
【課題を解決するための手段】
【００１５】
本発明の第１の観点によれば、ソースバスに供給される階調電圧により液晶表示素子を駆動する液晶表示装置の駆動装置であって、
前記階調電圧のうちの粗い範囲を定める電圧値を発生する参照電圧発生器と、前記参照電圧発生器から、表示対象液晶セルに対する階調電圧を指定するデータコードの上位ビットにより電圧範囲を表す値を取り出す第１のデジタルアナログ変換器と、前記第１のデジタルアナログ変換器により指定された電圧範囲内での詳細値を前記データコードの下位ビットにより選択するとともに、前記第１のデジタルアナログ変換器の前記詳細値を選択的に出力可能な第２のデジタルアナログ変換器と、前記第２のデジタルアナログ変換器の出力を前記ソースバスに供給するデマルチプレクサとを備えたフルカラーモード用の第１の駆動部と、
キャパシタおよび前記データコードの一部によりキャパシタを電源あるいはグランドに接続する第１のスイッチを備えた８色カラーモード用の第２の駆動部と、
前記フルカラーモードと前記８色カラーモードの切り換え信号により、前記８色カラーモードの時には前記参照電圧発生器、前記第１のデジタルアナログ変換器、第２のデジタルアナログ変換器のそれぞれの電源供給を停止するように動作する第２、第３および第４のスイッチと、前記第２の駆動部のキャパシタ出力を前記デマルチプレクサに切り換えて接続する第５のスイッチと、を備えた液晶表示装置の駆動装置が提供される。
【００１６】
また、本発明の第２の観点によれば、ソースバスに供給される階調電圧により液晶表示素子を駆動する液晶表示装置の駆動装置であって、
前記階調電圧のうちの粗い範囲を定める電圧値を発生する参照電圧発生器と、前記参照電圧発生器から、表示対象液晶セルに対する階調電圧を指定するデータコードの上位ビットにより電圧範囲を表す値を取り出す第１のデジタルアナログ変換器と、前記第１のデジタルアナログ変換器により指定された電圧範囲内での詳細値を前記データコードの下位ビットにより選択するとともに、前記第１のデジタルアナログ変換器の前記詳細値を選択的に出力可能な第２のデジタルアナログ変換器と、前記第２のデジタルアナログ変換器の出力を前記ソースバスに供給するデマルチプレクサとを備えたフルカラーモード用の第１の駆動部と、
キャパシタおよび前記データコードの一部によりキャパシタを電源あるいはグランドに接続する第１のスイッチと、プリセット時に白表示に対しては前記ソースバスを電源に接続し、黒表示に対してはソースバスを接地する第２のスイッチを備えた８色カラーモード用の第２の駆動部と、
前記フルカラーモードと前記８色カラーモードの切り換え信号により、前記８色カラーモードの時には前記参照電圧発生器、前記第１のデジタルアナログ変換器、第２のデジタルアナログ変換器のそれぞれの電源供給を停止するように動作する第３、第４および第５のスイッチと、前記８色カラー駆動部のキャパシタ出力を前記デマルチプレクサに切り換えて接続する第６のスイッチと、を備えた液晶表示装置の駆動装置が提供される。
【発明の効果】
【００１７】
本発明によれば、フルカラー表示のための構成と８色カラー表示のための構成を１つの駆動回路中に設け、電力を多く消費するDAコンバータやバッファアンプの動作を完全に停止させるため、８色カラーモードにおいて電力消費を著しく減少させることができる。
【発明を実施するための最良の形態】
【００１８】
以下、図面を参照して、本願発明の実施例を説明する。
【００１９】
図２は、本発明にかかる液晶表示装置の駆動装置の実施例を示すブロック図であり、３色の画素列が含まれる１列分の構成について説明する。この駆動装置はフルカラー表示のための駆動装置をベースとするものである。
【００２０】
図１に示されていない構成要素としてタイミング発生器およびデータラッチ１００が示されているが、与えられるイメージデータをラッチし、所望のタイミングで上位ビットＤ７−Ｄ４と下位ビットＤ３−Ｄ０を出力するものである。
【００２１】
電圧範囲を得るための参照電圧発生器１１０は図１に示された参照電圧発生器１０と全く同じように、電源とアース間にそれぞれスイッチＳＷ１を介して直列接続された１８個の抵抗分割器を有し、抵抗分割により取り出されたV0からV16までの１７種類の電圧を得るものである。この１７種類の電圧は１７ビットバスにより、４ビットDA変換器である電圧セレクタ１２０に与えられる。
【００２２】
電圧セレクタ１２０では、タイミング発生器およびデータラッチ１００から与えられたデータの上位４ビットから、電圧範囲を示す電圧値VnとVn+1を出力する。
【００２３】
電圧値VnとVn+1は４ビットリニアデジタルアナログ変換器（DAC）１３０に与えられる。
【００２４】
このDAC１３０はタイミング発生器およびデータラッチ１００から与えられたデータの下位４ビットから、指定された電圧範囲内における１６種類の電圧のうちのいずれかを得る。
【００２５】
これらの２つのＤＡＣは、単位容量比が１：２：４：８のキャパシタを用いて電圧を発生させるものが良く知られているので、その説明は省略する。また、これらのＤＡＣには電源電圧ＶＤＤがスイッチＳＷ２を介して供給されるようになっており、スイッチＳＷ２がＯＮの時のみ動作が行われる。
【００２６】
ＤＡＣ１３０の出力はバッファ１４０で安定化される。バッファ１４０には参照電流発生器１５０からスイッチＳＷ３を介して参照電流が供給される。
【００２７】
バッファ１４０の出力はデマルチプレクサ１６０により３色に対応したソースバスＳＢＲ、ＳＢＧ、ＳＢＢに順次切り換えて供給される。
【００２８】
なお、表示動作の高速化を図るため、ソースバスにバッファ出力を印加する前にソースバス電位を上昇させるためのプリチャージ回路１７０も設けられている。
【００２９】
参照番号２００で示された部分は８色カラー表示のための電圧発生装置の構成であり、電源と接地との間で接続を切り換えることのできるスイッチＳW１１と、このスイッチＳＷ１１と接地間に設けられたキャパシタＣ１を備えている。スイッチＳＷ１１はもう１つ切り換え端子があり、この端子デマルチプレクサの入力側に接続されている。
【００３０】
タイミング発生器およびデータラッチ１００の出力のうち、最高位ビットのデータＤ７のみが電圧発生装置２００に与えられる。また、セットアップとドライブを切り換える制御信号ＣＴＲも入力されている。
【００３１】
図２はフルカラー表示の場合を示しており、ＳＷ１〜ＳＷ３はＯＮとなっており、ＳＷ１１はどこにも接続されていない。
【００３２】
このようなスイッチの状態では、参照電圧発生器１１０から取り出された１７種類の電圧値からデータコードの上位ビットに基づいて電圧セレクタ１２０は電圧範囲を示す２つの電圧VnとVn+1を選択し、４ビットリニアデジタルアナログ変換器（DAC）１３０に供給する。
【００３３】
この４ビットリニアデジタルアナログ変換器（DAC）１３０では単位容量比１C、２Ｃ、４Ｃ、８Ｃを有する５つのキャパシタを電圧VnあるいはVn+1に接続してデータの下位４ビットに応じた電圧値を得る。
【００３４】
この電圧値は４ビットリニアデジタルアナログ変換器（DAC）１３０内で保持される。プリチャージ期間にプリチャージ回路１７０によりプリチャージされたソースバスのうちデマルチプレクサ１６０により選択されたソースバスに、４ビットリニアデジタルアナログ変換器（DAC）１３０で保持された電圧がバッファ１４０でインピーダンス変換され、ドライブ期間中に印加される。
【００３５】
図３は図２と同じ回路構成を示すが、８色カラーモードの場合について説明している。
【００３６】
まず、タイミング発生器およびデータラッチ１００に与えられるデータは最上位ビットのＤ７のみであり、この信号がハイのときには、スイッチＳＷ１は電源側に切り換えられてキャパシタＣ１を充電し、Ｄ７信号がロウのときには、スイッチＳＷ１は接地側に切り換えられてキャパシタＣ１を放電させる。
【００３７】
また、スイッチＳＷ１、ＳＷ２、ＳＷ３はいずれもオフであるので、参照電圧発生器１１０、電圧セレクタ１２０、４ビットリニアデジタルアナログ変換器（DAC）１３０は動作のための電源が切り離されて非動作状態となる。
【００３８】
キャパシタＣ１の充放電終了後、制御信号ＣＴＲによりスイッチＳＷ１はデマルチプレクサ側と接続され、選択された３本のソースバスのいずれかに電圧を印加し、あるいは印加しない。
【００３９】
３本のソースバスのそれぞれについて同様の動作を行うことにより、８色のいずれかが得られる。
【００４０】
図４は図２および３をより明確にした回路図であり、図２および図３に対応する部分には同じ参照番号を付してある。簡略化のため、デマルチプレクサは省略され、２つのＤＡＣはまとめて１つの要素として表示されている。
【００４１】
一方、キャパシタＣ１への充放電のためのデータＤ７で制御されるスイッチＳＷ１１１と、キャパシタＣ１をソースバスに接続するためにセットアップモードとドライブモードに応じて切り換えるスイッチＳＷ１１２に分けて表示してある。また、プリチャージ電源ＶＰＣはプリチャージ制御信号ＣＴＲＰＣにより制御されるスイッチＳＷ１２によりソースバスに接続される。各ソースバスＬＳＸの容量をＣＳＢとする。さらに、スイッチＳＷ２とＳＷ３は８色カラー表示切り替え信号Ｍ８により制御される。
【００４２】
図５のタイミングチャートおよび図３及び図４の一部を取り出して表示した模式的回路図である図６ないし図９を用いて本発明における８色カラーモードにおける動作について説明する。
【００４３】
前提としてＭ８信号が８色カラー側、すなわち、スイッチＳＷ２およびＳＷ３がオフであるとする。また、ここでは電源電圧は５Ｖであるが、プリチャージ電圧は２．５Ｖであるとする。
【００４４】
図５に示されるように、一連の動作は一水平期間１Ｈの間に行われ、前半は制御信号ＣＴＲＬがロウであることによりセットアップが行われ、後半は制御信号ＣＴＲがハイになることによりセットアップが行われる。
【００４５】
まず、黒表示を行う場合には、供給されるデータＤ７はロウレベルであり、制御信号ＣＴＲがロウレベルであるセットアップ期間には、図６に示すように、スイッチＳＷ１１は接地側に接続されてキャパシタＣ１は放電され、プリチャージ制御信号がオンとされることにより、例えば２．５Ｖの電圧でソースバスのプリチャージが行われる。
【００４６】
また制御信号ＣＴＲがハイレベルになるドライブ期間では、図７に示すように、スイッチＳＷ１１によりソースバスにキャパシタＣ１が接続され、スイッチＳＷ１２は開放される。このとき、ソースバスに対する出力電圧ＶＯＵＴはキャパシタＣ１とソースバスの容量ＣＳＢＣＳＢにより決まる。すなわち、
Ｃ１＊０＋ＣＳＢ＊ＶＰＣ＝（Ｃ１＋ＣＳＢ）＊ＶＯＵＴ
の関係があることから、
ＶＯＵＴ（黒）＝（ＣＳＢ／（Ｃ１＋ＣＳＢ））＊ＶＰＣ
となる。具体的に、ＶＰＣ＝２．５Ｖ、Ｃ１＝４０ｐＦ、ＣＳＢ＝１０ｐＦを代入すると、
ＶＯＵＴ（黒）＝  ０．５Ｖ
となる。
【００４７】
次に、白表示を行う場合には、供給されるデータＤ７はハイレベルであり、制御信号ＣＴＲがロウレベルであるセットアップ期間には、図８に示すように、スイッチＳＷ１１は電源側に接続されてキャパシタＣ１は充電され、プリチャージ制御信号がオンとされることにより、例えば２．５Ｖの電圧でソースバスのプリチャージが行われる。
【００４８】
また制御信号ＣＴＲがハイレベルになるドライブ期間では、図９に示すように、スイッチＳＷ１１によりソースバスにキャパシタＣ１が接続され、スイッチＳＷ１２は開放される。このとき、ソースバスに対する出力電圧ＶＯＵＴはキャパシタＣ１とソースバスの容量ＣＳＢとＣＳＢにより決まる。すなわち、
Ｃ１＊ＶＤＤ＋ＣＳＢ＊ＶＰＣ＝（Ｃ１＋ＣＳＢ）＊ＶＯＵＴ
の関係があることから、
ＶＯＵＴ（白）＝（Ｃ１／（Ｃ１＋ＣＳＢ））＊ＶＤＤ＋（ＣＳＢ／（Ｃ１＋ＣＳＢ））＊ＶＰＣ
となる。具体的に、ＶＤＤ＝５Ｖ、ＶＰＣ＝２．５Ｖ、Ｃ１＝４０ｐＦ、ＣＳＢ＝１０ｐＦを代入すると、
ＶＯＵＴ（白）＝  ４．５Ｖ
となる。このようにして白黒表示が可能である。
【００４９】
図１０は図６−９に示したものを基本とした第２の実施例を示す模式的回路図である。  
この変形例では８色カラーモードにおいてソースバスに接続されるキャパシタを白表示用と黒表示用の２つ設け、Ｄ７の信号内容によって使い分けるようにしたものである。
【００５０】
具体的には白表示に対してはＤ７信号がハイのときにキャパシタＣ１をスイッチＳＷ２１により電源ＶＤＤに接続し、Ｄ７信号がロウのときにキャパシタＣ２をスイッチＳＷ２２により接地するようにしている。
【００５１】
このような構成では、
ＶＯＵＴ（白）＝（Ｃ１／（Ｃ１＋ＣＳＢ））＊ＶＤＤ＋（ＣＳＢ／（Ｃ１＋ＣＳＢ））＊ＶＰＣ
ＶＯＵＴ（黒）＝（ＣＳＢ／（Ｃ２＋ＣＳＢ））＊ＶＰＣ
となり、Ｃ１とＣ２の値を適当に選ぶことにより、ソース線駆動電圧を白表示と黒表示で独立に選択することが可能となる。
【００５２】
図１１はさらに異なる第３の実施例を示す模式的回路図である。
【００５３】
この実施例では図２に示した電圧発生回路２００と同様の部分（スイッチはＳＷ３１）と、セットアップ時にデータＤ７がハイの時にソースバスを電源ＶＤＤに接続し、ロウの時にソースバスを接地するスイッチＳＷ３２を有しており、プリチャージ回路は設けられていない。
【００５４】
この回路においても、制御信号ＣＴＲはロウがセットアップ、ハイがドライブ、データＤ７はハイが白表示、ロウが黒表示を意味する。
【００５５】
白表示の場合、セットアップ時にはスイッチＳＷ３１が接地側に接続されるため、キャパシタＣ１は放電される。一方、スイッチＳＷ３２はＶＤＤに接続されるため、ソースバス容量はＶＤＤで充電される。
【００５６】
ドライブ時にはスイッチＳＷ３１はソースバス側に接続され、スイッチＳＷ３２は不接続とされるので、出力電圧は
ＶＯＵＴ（白）＝（ＣＳＢ／（Ｃ１＋ＣＳＢ））＊ＶＤＤ
となる。
【００５７】
黒表示の場合、セットアップ時にはスイッチＳＷ３１がＶＤＤ側に接続されるため、キャパシタＣ１は充電される。一方、スイッチＳＷ３２はソースバスを接地するように接続するため、ソースバス容量はＶＤＤで充電される。
【００５８】
ドライブ時にはスイッチＳＷ３１はソースバス側に接続され、スイッチＳＷ３２は不接続とされるので、出力電圧は
ＶＯＵＴ（黒）＝（Ｃ１／（Ｃ１＋ＣＳＢ））＊ＶＤＤ
となる。
【００５９】
これらの出力電圧の式からわかるように、キャパシタが小さいほど白表示出力はに近づき、黒表示電圧は０に近づくことになる。実際、ＶＤＤ＝５Ｖ、Ｃ１＝１．４ｐＦ、ＣＳＢ＝１０ｐＦを代入すると、
ＶＯＵＴ（白）＝  ４．５０５Ｖ
ＶＯＵＴ（黒）＝  ０．４９４Ｖ
となって、Ｃ１の容量を著しく減少させても実施例１や２と同様の動作が可能である。Ｃ１の容量が少なくても良いため、キャパシタ形成面積を削減でき、好ましい。また、プリチャージ回路は少なくとも８色カラーモードでは不要となるため、プリチャージ回路を簡略化することができる。
【００６０】
図１２は第４の実施例を示すもので、第２及び第３の実施例を組み合わせたものである。すなわち、白表示に対してはＤ７信号がハイのときにキャパシタＣ１をスイッチＳＷ４１により電源ＶＤＤに接続し、Ｄ７信号がロウのときにキャパシタＣ２をスイッチＳＷ４２により接地するようにし、さらにセットアップ時にデータＤ７がハイの時にソースバスを電源ＶＤＤに接続し、ロウの時にソースバスを接地するスイッチＳＷ４３を有しており、プリチャージ回路は設けられていない。
【００６１】
この構成により、第２及び第３の実施例で得られる効果を得ることができる。すなわち、キャパシタＣ１およびＣ２の値を自由に選択できる他、Ｃ１の値を小さくすることができる。
【００６２】
以上の実施例は限定的なものではなく、当業者が通常行う変形や置換は本発明の範囲に含まれるものである。
【図面の簡単な説明】
【００６３】
【図１】データコードから駆動電圧を得るための従来の模式的構成を示す図である。
【図２】カラー液晶表示装置のソースバスにフルカラーモードと８色カラーモードでソース電圧を印加することが可能な本発明にかかる駆動装置の概略構成を示すブロック図であり、フルカラーモード時の状態を示す。
【図３】図２のブロック図において、８色カラーモードでのソースバスへのソース電圧の印加の様子を示すブロック図である。
【図４】８色カラーモードでの駆動に関係する部分を描いた概略回路図である。
【図５】図４の構成における動作を説明するタイミングチャートである。
【図６】８色カラーモードでの黒表示のセットアップ動作の詳細を示す概略回路図である。
【図７】８色カラーモードでの黒表示のドライブ動作の詳細を示す概略回路図である。
【図８】８色カラーモードでの白表示のセットアップ動作の詳細を示す概略回路図である。
【図９】８色カラーモードでの白表示のドライブ動作の詳細を示す概略回路図である。
【図１０】本発明にかかる駆動装置の第２の実施例を示す回路図である。
【図１１】本発明にかかる駆動装置の第３の実施例を示す回路図である。
【図１２】本発明にかかる駆動装置の第４の実施例を示す回路図である。
【符号の説明】
【００６４】
１１０  参照電圧発生器
１２０  電圧セレクタ
１３０  ４ビットＤＡＣ
１４０  バッファアンプ
１５０  参照電流発生器
１６０  デマルチプレクサ
１７０  プリチャージ回路
２００  ８色カラーモード用電圧発生回路
Ｃ１、Ｃ２  キャパシタ
ＣＳＢ    ソースバス容量
ＳＷ１、ＳＷ２、ＳＷ３、ＳＷ１１、ＳＷ１２、ＳＷ２１、ＳＷ２２、ＳＷ３１、ＳＷ３２、ＳＷ４１、ＳＷ４２、ＳＷ４３  スイッチ
SBR、SBG、SBＢ  ソースバス
【図１】
2009025656.tif 000003
【図２】
2009025656.tif 000004
【図３】
2009025656.tif 000005
【図４】
2009025656.tif 000006
【図５】
2009025656.tif 000007
【図６】
2009025656.tif 000008
【図７】
2009025656.tif 000009
【図８】
2009025656.tif 000010
【図９】
2009025656.tif 000011
【図１０】
2009025656.tif 000012
【図１１】
2009025656.tif 000013
【図１２】
2009025656.tif 000014
【手続補正書】
【提出日】平成20年7月31日(2008.7.31)
【手続補正１】
【補正対象書類名】明細書
【補正対象項目名】０００９
【補正方法】変更
【補正の内容】
【０００９】
図１の構成はカラー液晶表示装置の３色の画素ライン用のソースバスにソース電圧を切り換えて印加する構成とすることができる。
【手続補正２】
【補正対象書類名】明細書
【補正対象項目名】００１０
【補正方法】変更
【補正の内容】
【００１０】
今、第ｎ番目の列のある画素の赤の液晶セルに印加される電圧データが与えられたとすると、図１で説明したのと同様に、参照電圧発生器１０から１７種類の電圧値が取り出され、これらの間の１６種類の電圧範囲が、４ビットDA変換器である電圧セレクタ２０により、電圧データの上位４ビットにより表示すべき画素列のソースバスに印加される電圧範囲に対応する２つの電圧値VnとVn+1が出力されて４ビット下位ビットDA変換器３０に与えられ、この電圧範囲内でのデータ値に対応する電圧が得られる。この電圧はバッファ（図示せず）で安定化され、１：３のデマルチプレクサ（図示せず）により赤の画素ラインのソースバスに印加される。なお、各色のソースバスには大きな電圧変動により表示動作が遅れることを防止するため、プリチャージ回路（図示せず）が設けられている。
【手続補正３】
【補正対象書類名】明細書
【補正対象項目名】００１１
【補正方法】変更
【補正の内容】
【００１１】
このように、あるｎ列の各色のソースバスに電圧を印加する場合、最初にプリチャージを行い、第ｎ列の赤用ソースバスの準備とドライブを行い、次に第ｎ列の緑用ソースバスの準備とドライブを行い、続いて第ｎ列の青用ソースバスの準備とドライブを行う。